(57)【要約】機器の操作を継続する際に、操作開始時の照合と同様な煩わしい操作を繰り返すことなく、利便性を保持でき、かつセキュリティ性も高めることができる機器の操作許可認証システムを提供することを目的とし、係る目的を達成するために、機器の操作に先立って操作者の第１のバイオメトリック情報を読み取り予め記憶された情報と照合しその照合結果に基づいて操作開始の許可認証を行う操作開始認証手段と、機器の操作中に操作者の前記第１のバイオメトリック情報とは異なる第２のバイオメトリック情報を非接触で読み取り予め記憶された情報と照合しその照合結果に基づいて操作継続の許可認証を行う操作継続認証手段とを備える。
2002023359.tif 000002
【特許請求の範囲】
【請求項１】
機器の操作に先立って操作者の第１のバイオメトリック情報を読み取り予め記憶された情報と照合しその照合結果に基づいて操作開始の許可認証を行う操作開始認証手段と、
前記機器の操作中に操作者の前記第１のバイオメトリック情報とは異なる第２のバイオメトリック情報を非接触で読み取り予め記憶された情報と照合しその照合結果に基づいて操作継続の許可認証を行う操作継続認証手段と
を備えた機器の操作許可認証システム。
【請求項２】
請求項１に記載の機器の操作許可認証システムにおいて、
前記操作開始認証手段と前記操作継続認証手段とは、操作者のバイオメトリック情報を読み取る検出手段と、バイオメトリック情報を記憶した記憶手段と、前記検出手段による検出データと前記記憶手段に記憶された記憶データとを照合して操作者を特定する照合手段と、前記照合手段による照合結果に基づいて機器の操作開始または操作継続の許可認証を行う許可認証手段とをそれぞれ備えたことを特徴とする機器の操作許可認証システム。
【請求項３】
請求項２に記載の機器の操作許可認証システムにおいて、
前記操作開始認証手段は、機器の操作に先立って前記第１のバイオメトリック情報としての操作者の指紋画像を読み取る前記検出手段としての指紋センサと、指紋データが記録された前記記憶手段としての指紋データ記憶手段と、前記指紋センサによる指紋データと前記指紋データ記憶手段に記憶された指紋データとを照合して操作者を特定する前記照合手段としての指紋照合手段と、前記指紋照合手段による照合結果に基づいて機器の操作開始の許可認証を行う前記許可認証手段としての第１の許可認証手段とを備えたことを特徴とする機器の操作許可認証システム。
【請求項４】
請求項２に記載の機器の操作許可認証システムにおいて、
前記操作継続認証手段は、機器の操作中に前記第２のバイオメトリック情報としての操作者の顔画像を読み取る前記検出手段としてのカメラと、顔相データが記録された前記記憶手段としての顔相データ記憶手段と、前記カメラによる顔相データと前記顔相データ記憶手段に記憶された顔相データとを照合して操作者を特定する前記照合手段としての顔相照合手段と、前記顔相照合手段による照合結果に基づいて機器の操作継続の許可認証を行う前記許可認証手段としての第２の許可認証手段とを備えたことを特徴とする機器の操作許可認証システム。
【請求項５】
請求項２に記載の機器操作システムにおいて、
前記操作継続認証手段は、機器の操作中に前記第２のバイオメトリック情報としての操作者の音声を読み取る前記検出手段としてのマイクと、声紋データが記録された前記記憶手段としての声紋データ記憶手段と、前記マイクによる声紋データと前記声紋データ記憶手段に記憶された声紋データとを照合して操作者を特定する前記照合手段としての声紋照合手段と、前記声紋照合手段による照合結果に基づいて機器の操作継続の認証を行う前記許可認証手段としての第２の許可認証手段とを備えたことを特徴とする機器操作システム。
【請求項６】
請求項２に記載の機器の操作許可認証システムにおいて、
前記操作開始認証手段と前記操作継続認証手段との許可認証手段は、一体構成でなることを特徴とする機器の操作許可認証システム。
【請求項７】
請求項４に記載の機器の操作許可認証システムにおいて、
前記顔相データ記憶手段は、前記指紋照合手段による指紋照合ＯＫ時に前記カメラによる操作者の最新の顔相データを一時記憶し、前記顔相照合手段は、前記カメラによる顔相データと前記顔相データ記憶手段に一時記憶された顔相データとを照合して操作者を特定することを特徴とする機器の操作許可認証システム。
【請求項８】
請求項１に記載の機器の操作許可認証システムにおいて、
前記操作継続認証手段は、機器の操作開始許可後、所定時間毎に第２のバイオメトリック情報の読み取りによる照合に基づく操作継続の認証を繰り返すことを特徴とする機器の操作許可認証システム。
【請求項９】
請求項１に記載の機器の操作許可認証システムにおいて、
前記操作継続認証手段は、常時第２のバイオメトリック情報を読み取り、第２のバイオメトリック情報の読み取りによる照合不一致時には、その後の操作を中断させ第２のバイオメトリック情報の読み取りによる照合に基づく操作継続の認証を繰り返すことを特徴とする機器の操作許可認証システム。
【発明の詳細な説明】
技術分野
この発明は、機器の操作者を特定人に限定するために、操作者のバイオメトリック情報に基づいて操作許可の認証を行う機器の操作許可認証システムに関するものである。
背景技術
図１７は、従来の指紋照合による機器の操作許可認証システムを示す機能ブロック図である。
図１７において、ｆ１は指紋画像を読み取る指紋センサ、ｆ２は指紋センサｆ１からの指紋画像を画像処理して特徴を抽出する画像処理特徴抽出部、ｆ４は画像処理特徴抽出部ｆ２により特徴抽出された指紋データを登録する指紋登録手段、ｆ５は指紋登録手段ｆ４からの登録指紋データを管理するための指紋データベース、ｆ３は指紋データベースｆ５で管理している指紋データと照合時の画像処理特徴抽出部ｆ２からの指紋データとを比較して照合処理を行う指紋照合手段、ｈ５は指紋照合手段ｆ３の照合結果に基づいて機器の操作開始の許可認証を行う操作許可認証手段である。
次に、上記構成に係る動作を、図１８に示すフローチャートを参照して説明する。
まず、ある操作者が機器の操作を開始しようとする場合は（手順ｈ５１）、指紋センサｆ１より指紋画像を読み取り、画像処理特徴抽出部ｆ２にて上記指紋画像を指紋データに変換し、指紋照合手段ｆ３により指紋データベースｆ５内の指紋データと比較して指紋照合を行う（手順ｈ５２）。そして、指紋照合がＯＫとなった場合には、操作許可認証手段ｈ５により上記操作者を確定し上記機器の操作開始を許可する（手順ｈ５３→ｈ５４）。
従来の指紋照合による機器の操作許可認証システムでは、上述したように、手順ｈ５４で操作者を確定し機器の操作開始を許可した後は、誰でも機器の操作が可能な状態となる。このため、セキュリティ性に問題があった。また、上記問題を回避するために、手順ｈ５１から手順ｈ５４までを繰り返すことによって機器の継続操作の許可認証を行うことが考えられるが、その場合、操作者は、機器の操作を継続するために、指紋照合を繰り返し行うために毎回指置き操作を行う必要があり、利便性に問題があった。
この発明は上述した点に鑑みてなされたもので、機器の操作を継続する際に、操作開始時の照合と同様な煩わしい操作を繰り返すことなく、利便性を保持でき、かつセキュリティ性も高めることができる機器の操作許可認証システムを提供することを目的とする。
発明の開示
上記目的を達成するために、この発明に係る機器の操作許可認証システムは、機器の操作に先立って操作者の第１のバイオメトリック情報を読み取り予め記憶された情報と照合しその照合結果に基づいて操作開始の許可認証を行う操作開始認証手段と、前記機器の操作中に操作者の前記第１のバイオメトリック情報とは異なる第２のバイオメトリック情報を非接触で読み取り予め記憶された情報と照合しその照合結果に基づいて操作継続の許可認証を行う操作継続認証手段とを備えたものである。
また、前記操作開始認証手段と前記操作継続認証手段とは、操作者のバイオメトリック情報を読み取る検出手段と、バイオメトリック情報を記憶した記憶手段と、前記検出手段による検出データと前記記憶手段に記憶された記憶データとを照合して操作者を特定する照合手段と、前記照合手段による照合結果に基づいて機器の操作開始または操作継続の許可認証を行う許可認証手段とをそれぞれ備えたことを特徴とするものである。
また、前記操作開始認証手段は、機器の操作に先立って前記第１のバイオメトリック情報としての操作者の指紋画像を読み取る前記検出手段としての指紋センサと、指紋データが記録された前記記憶手段としての指紋データ記憶手段と、前記指紋センサによる指紋データと前記指紋データ記憶手段に記憶された指紋データとを照合して操作者を特定する前記照合手段としての指紋照合手段と、前記指紋照合手段による照合結果に基づいて機器の操作開始の許可認証を行う前記許可認証手段としての第１の許可認証手段とを備えたことを特徴とするものである。
また、前記操作継続認証手段は、機器の操作中に前記第２のバイオメトリック情報としての操作者の顔画像を読み取る前記検出手段としてのカメラと、顔相データが記録された前記記憶手段としての顔相データ記憶手段と、前記カメラによる顔相データと前記顔相データ記憶手段に記憶された顔相データとを照合して操作者を特定する前記照合手段としての顔相照合手段と、前記顔相照合手段による照合結果に基づいて機器の操作継続の許可認証を行う前記許可認証手段としての第２の許可認証手段とを備えたことを特徴とするものである。
また、前記操作継続認証手段は、機器の操作中に前記第２のバイオメトリック情報としての操作者の音声を読み取る前記検出手段としてのマイクと、声紋データが記録された前記記憶手段としての声紋データ記憶手段と、前記マイクによる声紋データと前記声紋データ記憶手段に記憶された声紋データとを照合して操作者を特定する前記照合手段としての声紋照合手段と、前記声紋照合手段による照合結果に基づいて機器の操作継続の認証を行う前記許可認証手段としての第２の許可認証手段とを備えたことを特徴とするものである。
また、前記操作開始認証手段と前記操作継続認証手段との許可認証手段は、一体構成でなることを特徴とするものである。
また、前記顔相データ記憶手段は、前記指紋照合手段による指紋照合ＯＫ時に前記カメラによる操作者の最新の顔相データを一時記憶し、前記顔相照合手段は、前記カメラによる顔相データと前記顔相データ記憶手段に一時記憶された顔相データとを照合して操作者を特定することを特徴とするものである。
また、前記操作継続認証手段は、機器の操作開始許可後、所定時間毎に第２のバイオメトリック情報の読み取りによる照合に基づく操作継続の認証を繰り返すことを特徴とするものである。
さらに、前記操作継続認証手段は、常時第２のバイオメトリック情報を読み取り、第２のバイオメトリック情報の読み取りによる照合不一致時には、その後の操作を中断させ第２のバイオメトリック情報の読み取りによる照合に基づく操作継続の認証を繰り返すことを特徴とするものである。
発明を実施するための最良の形態
実施の形態１．
図１は、この発明の実施の形態１に係る機器の操作許可認証システムを示す機能ブロック図である。
図１において、構成要素ｆ１からｆ５については従来例と同一のためその説明は省略する。図１に示す機器の操作許可認証システムには、操作開始の許可認証を行う従来例と同様な操作開始認証手段の他に、新たな構成要素として、顔画像を読み取るカメラｉ１、カメラｉ１からの顔画像を画像処理して特徴抽出する顔画像処理特徴抽出部ｉ２、顔画像処理特徴抽出部ｉ２からの顔相データを登録する顔相登録手段ｉ４、顔相登録手段ｉ４からの登録顔相データを管理するための顔相データベースｉ５、顔相データベースｉ５で管理している顔相データと顔画像処理特徴抽出部ｉ２からの顔相データとを比較して照合処理を行う顔相照合手段ｉ３、指紋照合手段ｆ３と顔相照合手段ｉ３を組み合わせて機器の操作開始および操作継続のための認証を行う操作許可認証手段ｈ１を備えている。
すなわち、実施の形態１に係る機器の操作許可認証システムは、機器の操作に先立って操作者の第１のバイオメトリック情報としての指紋を読み取り予め記憶された情報と照合しその照合結果に基づいて操作開始の許可認証を行う操作開始認証手段と、機器の操作中に操作者の前記指紋情報とは異なる第２のバイオメトリック情報としての顔画像を非接触で読み取り予め記憶された情報と照合しその照合結果に基づいて操作継続の許可認証を行う操作継続認証手段とを備えている。
ここで、操作開始認証手段と操作継続認証手段とは、操作者のバイオメトリック情報を読み取る検出手段と、バイオメトリック情報を記憶した記憶手段と、前記検出手段による検出データと前記記憶手段に記憶された記憶データとを照合して操作者を特定する照合手段と、前記照合手段による照合結果に基づいて機器の操作開始または操作継続の許可認証を行う許可認証手段とをそれぞれ備えてなるものである。
具体的には、前記操作開始認証手段としては、指紋センサｆ１と、画像処理特徴抽出部ｆ２、指紋照合手段ｆ３、指紋登録手段ｆ４、指紋データベースｆ５、操作許可認証手段ｈ１の構成が相当し、前記操作継続認証手段としては、カメラｉ１、顔画像処理特徴抽出部ｉ２、顔相照合手段ｉ３、顔相登録手段ｉ４、顔相データベースｉ５、操作許可認証手段ｈ１の構成が相当し、このうち、操作許可認証手段ｈ１は、機器の操作開始の許可認証を行う許可認証手段及び操作継続の認証を行う許可認証手段として一体化されて構成されたものである。
次に、上記構成に係る動作を図２に示すフローチャートを参照して説明する。
まず、ある操作者が機器の操作を開始しようとする場合は（手順ｈ１１）、指紋センサｆ１より指紋画像を読み取り、画像処理特徴抽出部ｆ２にて上記指紋画像を指紋データに変換し、指紋照合手段ｆ３により指紋データベースｆ５内の指紋データと比較して指紋照合を行う（手順ｈ１２）。指紋照合がＯＫとなった場合は、操作許可認証手段ｈ１により上記操作者を確定し上記機器の操作開始を許可する（手順ｈ１３→ｈ１４）。
次に、ある操作者が機器の操作を継続しようとした場合は（手順ｈ１５）、カメラｉ１より顔画像を読み取り、顔画像処理特徴抽出部ｉ２にて上記顔画像を顔相データに変換し、顔相照合手段ｉ３により顔相データベースｉ５内の手順ｈ１４で確定している操作者の顔相データと比較して顔相照合を行う（手順ｈ１６）。顔相照合がＯＫとなった場合は（手順ｈ１７）、操作許可認証手段ｈ１により上記操作者を継承確定し上記機器の操作継続を許可する（手順ｈ１８）。
したがって、上記実施の形態１によれば、指紋照合による機器の操作開始許可後も、非接触で顔画像を読み取り顔相照合によって機器の操作継続の許可認証を行うため、従来のように操作継続時においては誰もが機器の操作が可能となってしまうことによるセキュリティ性の低下の問題を補える効果がある。しかも、顔相照合は非接触の照合手段で行われるため、指紋照合のように機器の操作中にいちいち指置き動作をする必要がなく、利便性を犠牲にすることもない。
実施の形態２．
図３は、上述した実施の形態１に係る動作を説明する図２に示すフローチャートに対応して示すもので、本実施の形態２に係る動作を説明するフローチャートである。なお、本実施の形態２に係る機器の操作許可認証システムの構成としては図１に示す機能ブロック図と同様な構成を備える。
図３に示す実施の形態２に係るフローチャートにおいて、図２に示す実施の形態１に係るフローチャートと異なる点は、操作許可認証手段ｈ１により、機器の操作開始許可後、ある操作者が機器の操作を継続しようとした場合に（手順ｈ１５）、内蔵するタイマー機構によって所定時間間隔が経過したか否かを判定し、所定時間間隔毎に顔相データの読み取りによる照合に基づく操作継続の認証を繰り返すようにしたものである（手順ｈ１５→Ｔ１→ｈ１６ないしｈ１８→ｈ１５）。
したがって、実施の形態２によれば、例えば、特定のパソコンを操作することが許可されたパソコン操作許可者が、何らかの理由により、そのパソコンの操作席前から離れて異なる場所に移動している時に、操作許可されていない他の利用者がそのパソコンを操作しようとした場合でも、カメラｉ１による顔画像に基づく顔相照合機能が所定間隔毎に起動されることになり、顔相の照合が実行されることになる。このため、顔相がパソコン操作の正当許可者と異なることにより照合結果は不一致となると、その時点でパソコンの操作を打切る旨をパソコン画面に出力して、パソコン操作を中断させることになる。これにより、特定操作者以外はパソコン操作することができず、パソコン操作のセキュリティ性を高めることができる。
実施の形態３．
図４は、上述した実施の形態１に係る動作を説明する図２に示すフローチャートに対応して示すもので、本実施の形態３に係る動作を説明するフローチャートである。なお、本実施の形態３に係る機器の操作許可認証システムの構成としては図１に示す機能ブロック図と同様な構成を備える。
図４に示す実施の形態３に係るフローチャートにおいて、図２に示す実施の形態１に係るフローチャートと異なる点は、操作許可認証手段ｈ１により、機器の操作開始許可後、ある操作者が機器の操作を継続しようとした場合に（手順ｈ１５）、常時カメラｉ１により操作者の顔画像を読み取り、その読み取りによる顔相照合不一致時には、その後の操作を中断させる旨表示させて顔画像の読み取りによる照合に基づく操作継続の認証を繰り返すようにしたものである（手順ｈ１５→ｈ１６→ｈ１７→Ｔ２→ｈ１６）。
したがって、実施の形態３によれば、例えば、特定のパソコンを操作することが許可されたパソコン操作許可者が、何らかの理由により、そのパソコンの操作席前から離れて異なる場所に移動している時でも、カメラｉ１による顔画像に基づく顔相照合機能が常時行われる。このため、操作許可されていない他の利用者がそのパソコンを操作しようとした場合でも、顔相の照合が常時実行されることにより、不正者は照合結果不一致となり、その時点でパソコンの操作を中断する旨を画面に出力して、パソコン操作を中断させ、特定操作者によるパソコン操作のセキュリティ性を高めることができる。
実施の形態４．
図５は、この発明の実施の形態４に係る機器の操作許可認証システムを示す機能ブロック図である。
図５において、図１に示す実施の形態１と同一部分は同一符号を付してその説明は省略する。新たな構成要素として、ｉ６は、実施の形態１の顔相登録手段ｉ４の代わりに設けられて、顔画像処理特徴抽出部ｉ２からの顔相データを一時的に登録するための顔相一時登録手段を示し、また、ｉ７は、実施の形態１の顔相データベースの代わりに設けられた顔相一時記憶部であり、指紋照合手段ｆ３による指紋照合一致時にカメラｉ１による顔相データと顔相一時記憶部ｉ７に一時記憶された顔相データとを顔相照合手段ｉ３により照合して操作者を特定するものである。さらに、ｈ２は本実施の形態４に係る操作許可認証手段を示す。
次に、上記構成に係る動作を図６に示すフローチャートを参照して説明する。
図６に示す実施の形態４に係るフローチャートにおいて、図２に示す実施の形態１に係るフローチャートと異なる点は、機器の操作を開始する時に指紋照合により操作者を確定した後（手順ｈ１１ないしｈ１４）、さらに、カメラｉ１による操作者の最新の顔相データを顔相一時記憶部ｉ７に記憶させる点であり（手順Ｔ３）、その後、顔相照合手段ｉ３により顔相一時記憶部ｉ７内の顔相データと比較して顔相照合を行い、顔相照合が一致した場合、操作許可認証手段ｈ２により操作者を継承確定し機器の操作継続を許可する（手順ｈ１５ないしｈ１８）。
したがって、上記実施の形態４によれば、指紋照合による機器の操作開始許可後も、顔相照合によって機器の操作継続許可を行うため、従来のように操作継続時においては誰もが機器の操作が可能となってしまうことによるセキュリティ性低下の問題を補える効果がある。
また、顔相照合は非接触の照合手段であるため、指紋照合のように機器の操作中にいちいち指置き動作をする必要がなく、利便性を犠牲にすることもない。
さらに、指紋照合ＯＫ時に得られる顔相データを顔相照合の比較対照にするため、経時変化の大きい顔画像を利用する顔相照合においても比較的安定した照合をすることができる。特に、指紋照合一致時に得られるカメラによる操作者の最新の顔相データを一時記憶させて顔相照合を行うので、ほんの数秒前の最新の顔相データを用いて照合でき、登録時が５，６ヶ月または１年前の顔相データと比較して確度の高い顔相照合を行い得る。
実施の形態５．
図７は、上述した実施の形態４に係る動作を説明する図６に示すフローチャートに対応して示すもので、本実施の形態５に係る動作を説明するフローチャートである。なお、本実施の形態５に係る機器の操作許可認証システムの構成としては図５に示す機能ブロック図と同様な構成を備える。
図７に示す実施の形態５に係るフローチャートにおいで、図６に示す実施の形態４に係るフローチャートと異なる点は、操作許可認証手段ｈ２により、機器の操作開始許可後、ある操作者が機器の操作を継続しようとした場合に（手順ｈ１５）、内蔵するタイマー機構によって所定時間間隔が経過したか否かを判定し、所定時間間隔毎に顔相データの読み取りによる照合に基づく操作継続の認証を繰り返すようにしたものである（手順ｈ１５→Ｔ１→ｈ１６ないしｈ１８→ｈ１５）。
したがって、実施の形態５によれば、例えば、特定のパソコンを操作することが許可されたパソコン操作許可者が、何らかの理由により、そのパソコンの操作席前から離れて異なる場所に移動している時に、操作許可されていない他の利用者がそのパソコンを操作しようとした場合でも、カメラｉ１による顔画像に基づく顔相照合機能が所定間隔毎に起動されることになり、顔相の照合が実行されることになる。このため、顔相がパソコン操作の正当許可者と異なることにより照合結果は不一致となると、その時点でパソコンの操作を打切る旨をパソコン画面に出力して、パソコン操作を中断させる。これにより、特定操作者によるパソコン操作のセキュリティ性を高めることができる。
実施の形態６．
図８は、上述した実施の形態４に係る動作を説明する図６に示すフローチャートに対応して示すもので、本実施の形態６に係る動作を説明するフローチャートである。なお、本実施の形態６に係る機器の操作許可認証システムの構成としては図５に示す機能ブロック図と同様な構成を備える。
図８に示す実施の形態６に係るフローチャートにおいて、図６に示す実施の形態４に係るフローチャートと異なる点は、操作許可認証手段ｈ２により、機器の操作開始許可後、ある操作者が機器の操作を継続しようとした場合に（手順ｈ１５）、常時カメラｉ１により操作者の顔画像を読み取り、その読み取りによる顔相照合不一致時には、その後の操作を中断させる旨表示させて顔画像の読み取りによる照合に基づく操作継続の認証を繰り返すようにしたものである（手順ｈ１５→ｈ１６→ｈ１７→Ｔ２→ｈ１６）。
したがって、実施の形態６によれば、例えば、特定のパソコンを操作することが許可されたパソコン操作許可者が、何らかの理由により、そのパソコンの操作席前から離れて異なる場所に移動している時でも、カメラｉ１による顔画像に基づく顔相照合機能が常時行われる。このため、操作許可されていない他の利用者がそのパソコンを操作しようとした場合でも、顔相の照合が常時実行されることにより、不正者は照合結果不一致となり、その時点でパソコンの操作を中断する旨を画面に出力して、パソコン操作を中断させる。これにより、特定操作者によるパソコン操作のセキュリティ性を高めることができる。
実施の形態７．
図９は、この発明の実施の形態７に係る機器の操作許可認証システムを示す機能ブロック図である。
構成要素ｆ１からｆ５については従来例と同一のため説明を省略する。新たな構成要素として、音声を読み取るマイクｖ１、マイクｖ１からの音声を音声処理、特徴抽出する音声処理特徴抽出部ｖ２、音声処理特徴抽出部ｖ２からの声紋データを登録する声紋登録手段ｖ４、声紋登録手段ｖ４からの登録声紋データを管理するための声紋データベースｖ５、声紋データベースｖ５で管理している声紋データと照合時の音声処理特徴抽出部ｖ２からの声紋データを比較して照合処理を行う声紋照合手段ｖ３、指紋照合手段ｆ３と声紋照合手段ｖ３を組み合わせて機器の操作開始および操作継続のための認証を行う操作許可認証手段ｈ３を備えた。
次に、上記構成に係る動作を図１０に示すフローチャートを参照して説明する。
図１０に示す実施の形態４に係るフローチャートにおいて、図２に示す実施の形態１に係るフローチャートと異なる点は、機器の操作を開始する時に指紋照合により操作者を確定した後（手順ｈ１１ないしｈ１４）、さらに、ある操作者が機器の操作を継続しようとした場合、マイクｖ１により操作者の音声を読み取り、音声処理特徴抽出部ｖ２により上記音声を声紋データに変換し、声紋照合手段ｖ３により声紋データベースｖ５内の手順ｈ１４で確定している操作者の声紋データと比較して声紋照合を行う（手順Ｔ４）。手順Ｔ５で声紋照合がＯＫとなった場合、手順ｈ１８に移り、操作許可認証手段ｈ３により上記操作者を継承確定し上記機器の操作継続を許可する。
したがって、実施の形態７によれば、指紋照合による機器の操作開始許可後も、声紋照合によって機器の操作継続許可を行うため、従来のように操作継続時においては誰もが機器の操作が可能となってしまうことによるセキュリティ性低下の問題を補える効果がある。また、声紋照合は非接触の照合手段で行われるため、指紋照合のように機器の操作中にいちいち指置き動作をする必要がなく、利便性を犠牲にすることもない。
実施の形態８．
図１１は、上述した実施の形態７に係る動作を説明する図１０に示すフローチャートに対応して示すもので、本実施の形態８に係る動作を説明するフローチャートである。なお、本実施の形態８に係る機器の操作許可認証システムの構成としては図９に示す機能ブロック図と同様な構成を備える。
図１１に示す実施の形態８に係るフローチャートにおいて、図１０に示す実施の形態７に係るフローチャートと異なる点は、操作許可認証手段ｈ３により、機器の操作開始許可後、ある操作者が機器の操作を継続しようとした場合に（手順ｈ１５）、内蔵するタイマー機構によって所定時間間隔が経過したか否かを判定し、所定時間間隔毎に声紋データの読み取りによる照合に基づく操作継続の認証を繰り返すようにしたものである（手順ｈ１５→Ｔ１→Ｔ４→Ｔ５→ｈ１８→ｈ１５）。
したがって、実施の形態８によれば、例えば、特定のパソコンを操作することが許可されたパソコン操作許可者が、何らかの理由により、そのパソコンの操作席前から離れて異なる場所に移動している時に、操作許可されていない他の利用者がそのパソコンを操作しようとした場合でも、マイクｖ１による音声読み込みに基づく声紋照合機能が所定間隔毎に起動されることになり、声紋の照合が実行されることになる。このため、声紋がパソコン操作の正当許可者と異なることにより照合結果は不一致となると、その時点でパソコンの操作を打切る旨をパソコン画面に出力して、パソコン操作を中断させる。これにより、特定操作者によるパソコン操作のセキュリティ性を高めることができる。
実施の形態９．
図１２は、上述した実施の形態７に係る動作を説明する図１０に示すフローチャートに対応して示すもので、本実施の形態９に係る動作を説明するフローチャートである。なお、本実施の形態９に係る機器の操作許可認証システムの構成としては図９に示す機能ブロック図と同様な構成を備える。
図１２に示す実施の形態９に係るフローチャートにおいて、図１０に示す実施の形態７に係るフローチャートと異なる点は、操作許可認証手段ｈ３により、機器の操作開始許可後、ある操作者が機器の操作を継続しようとした場合に（手順ｈ１５）、マイクｖ１により操作者の音声を読み取り、その読み取りによる声紋照合不一致時には、その後の操作を中断させる旨表示させて音声の読み取りによる照合に基づく操作継続の認証を繰り返すようにしたものである（手順ｈ１５→Ｔ４→Ｔ５→Ｔ２→Ｔ４）。
したがって、実施の形態９によれば、例えば、特定のパソコンを操作することが許可されたパソコン操作許可者が、何らかの理由により、そのパソコンの操作席前から離れて異なる場所に移動している時でも、マイクｖ１による音声に基づく声紋照合機能が常時行われる。このため、操作許可されていない他の利用者がそのパソコンを操作しようとした場合でも、声紋の照合が常時実行されることにより、不正者は照合結果不一致となり、その時点でパソコンの操作を中断する旨を画面に出力して、パソコン操作を中断させる。これにより、特定操作者によるパソコン操作のセキュリティ性を高めることができる。
また、例えば、特定の携帯電話を操作することが許可された携帯電話の操作許可者が、何らかの理由により、その携帯電話の操作から離れた時に、その携帯電話の操作ではマイクによる音声読取り機能が常時行われている為、不正な者がその携帯電話を操作した時、不正者の声紋が操作正当許可者のものではなく、声紋照合で照合不一致の結果となり、その時点で携帯電話の操作を打切ってしまうような表示等を携帯電話に出力して、電話操作を中断させ、携帯電話操作による特定操作者のセキュリティ性を上げるシステムとすることができる。
実施の形態１０．
図１３は、この発明の実施の形態１０に係る機器の操作許可認証システムを示す機能ブロック図である。
図１３において、図９に示す実施の形態７と同一部分は同一符号を付してその説明は省略する。新たな構成要素として、ｖ６は、実施の形態７の声紋登録手段ｖ４の代わりに設けられて、音声処理特徴抽出部ｖ２からの声紋データを一時的に登録するための声紋一時登録手段を示し、また、ｖ７は、実施の形態７の顔相データベースの代わりに設けられた顔相一時記憶部であり、声紋照合手段ｖ３による指紋照合一致時にマイクｖ１による声紋データと声紋一時記憶部ｖ７に一時記憶された声紋データとを声紋照合手段ｖ３により照合して操作者を特定するものである。さらに、ｈ４は、本実施の形態１０における操作許可認証手段を示す。
次に、上記構成に係る動作を図１４に示すフローチャートを参照して説明する。
図１４に示す実施の形態１０に係るフローチャートにおいて、図１０に示す実施の形態７に係るフローチャートと異なる点は、機器の操作を開始する時に指紋照合により操作者を確定した後（手順ｈ１１ないしｈ１４）、さらに、マイクｖ１による操作者の最新の声紋データを声紋一時記憶部ｖ７に記憶させる点であり（手順Ｔ６）、その後、声紋照合手段ｖ３により声紋一時記憶部ｖ７内の声紋データと比較して声紋照合を行い、声紋照合が一致した場合、操作許可認証手段ｈ４により操作者を継承確定し機器の操作継続を許可する（手順ｈ１５→Ｔ４→Ｔ５→ｈ１８）。
したがって、上記実施の形態１０によれば、指紋照合による機器の操作開始許可後も、声紋照合によって機器の操作継続許可を行うため、従来のように操作継続時においては誰もが機器の操作が可能となってしまうことによるセキュリティ性低下の問題を補える効果がある。
また、声紋照合は非接触の照合手段で行われるため、指紋照合のように機器の操作中にいちいち指置き動作をする必要がなく、利便性を犠牲にすることもない。
さらに、声紋照合ＯＫ時に得られる声紋データを声紋照合の比較対照にするため、経時変化の大きい声紋データを利用する声紋照合においても比較的安定した照合をすることができる。特に、声紋照合一致時に得られるマイクによる操作者の最新の声紋データを一時記憶させて声紋照合を行うので、ほんの数秒前の最新の声紋データを用いて照合でき、登録時が５，６ヶ月または１年前の声紋データと比較して確度の高い声紋照合を行い得る。
実施の形態１１．
図１５は、上述した実施の形態１０に係る動作を説明する図１４に示すフローチャートに対応して示すもので、本実施の形態１１に係る動作を説明するフローチャートである。なお、本実施の形態１１に係る機器の操作許可認証システムの構成としては図１３に示す機能ブロック図と同様な構成を備える。
図１５に示す実施の形態１１に係るフローチャートにおいて、図１４に示す実施の形態１０に係るフローチャートと異なる点は、操作許可認証手段ｈ４により、機器の操作開始許可後、ある操作者が機器の操作を継続しようとした場合に（手順ｈ１５）、内蔵するタイマー機構によって所定時間間隔が経過したか否かを判定し、所定時間間隔毎に声紋データの読み取りによる照合に基づく操作継続の認証を繰り返すようにしたものである（手順ｈ１５→Ｔ１→Ｔ４→Ｔ５→ｈ１８→ｈ１５）。
したがって、実施の形態１１によれば、例えば、特定のパソコンを操作することが許可されたパソコン操作許可者が、何らかの理由により、そのパソコンの操作席前から離れて異なる場所に移動している時に、操作許可されていない他の利用者がそのパソコンを操作しようとした場合でも、マイクｖ１による音声に基づく声紋照合機能が所定間隔毎に起動されることになり、声紋の照合が実行されることになる。このため、声紋がパソコン操作の正当許可者と異なることにより照合結果は不一致となると、その時点でパソコンの操作を打切る旨をパソコン画面に出力して、パソコン操作を中断させる。これにより、特定操作者によるパソコン操作のセキュリティ性を高めることができる。
実施の形態１２．
図１６は、上述した実施の形態１０に係る動作を説明する図１４に示すフローチャートに対応して示すもので、本実施の形態１２に係る動作を説明するフローチャートである。なお、本実施の形態１２に係る機器の操作許可認証システムの構成としては図１３に示す機能ブロック図と同様な構成を備える。
図１６に示す実施の形態１２に係るフローチャートにおいて、図１４に示す実施の形態１０に係るフローチャートと異なる点は、操作許可認証手段ｈ４により、機器の操作開始許可後、ある操作者が機器の操作を継続しようとした場合に（手順ｈ１５）、常時マイクｖ１により操作者の音声を読み取り、その読み取りによる声紋照合不一致時には、その後の操作を中断させる旨表示させて音声の読み取りによる声紋照合に基づく操作継続の認証を繰り返すようにしたものである（手順ｈ１５→Ｔ４→Ｔ５→Ｔ２→Ｔ４）。
したがって、実施の形態１２によれば、例えば、特定のパソコンを操作することが許可されたパソコン操作許可者が、何らかの理由により、そのパソコンの操作席前から離れて異なる場所に移動している時でも、マイクｖ１による音声に基づく声紋照合機能が常時行われる。このため、操作許可されていない他の利用者がそのパソコンを操作しようとした場合でも、声紋の照合が常時実行されることにより、不正者は照合結果不一致となり、その時点でパソコンの操作を中断する旨を画面に出力して、パソコン操作を中断させる。これにより、特定操作者によるパソコン操作のセキュリティ性を高めることができる。
産業上の利用の可能性
以上のように、この発明は、機器の操作に先立って操作者の第１のバイオメトリック情報を読み取り予め記憶された情報と照合しその照合結果に基づいて操作開始の許可認証を行うと共に、機器の操作中に操作者の前記第１のバイオメトリック情報とは異なる第２のバイオメトリック情報を非接触で読み取り予め記憶された情報と照合しその照合結果に基づいて操作継続の許可認証を行うようにしたので、機器の操作を継続する際に、操作開始時の照合と同様な煩わしい操作を繰り返すことなく、利便性を保持でき、かつセキュリティ性も高めることができる機器の操作許可認証システムを提供することができる。
【図面の簡単な説明】
図１は、この発明の実施の形態１ないし３に係る機器の操作認証システムを示す機能ブロック図、
図２は、この発明の実施の形態１に係る機器の操作認証システムの動作を説明するフローチャート、
図３は、この発明の実施の形態２に係る機器の操作認証システムの動作を説明するフローチャート、
図４は、この発明の実施の形態３に係る機器の操作認証システムの動作を説明するフローチャート、
図５は、この発明の実施の形態４ないし６に係る機器の操作認証システムを示す機能ブロック図、
図６は、この発明の実施の形態４に係る機器の操作認証システムの動作を説明するフローチャート、
図７は、この発明の実施の形態５に係る機器の操作認証システムの動作を説明するフローチャート、
図８は、この発明の実施の形態６に係る機器の操作認証システムの動作を説明するフローチャート、
図９は、この発明の実施の形態７ないし９に係る機器の操作認証システムを示す機能ブロック図、
図１０は、この発明の実施の形態７に係る機器の操作認証システムの動作を説明するフローチャート、
図１１は、この発明の実施の形態８に係る機器の操作認証システムの動作を説明するフローチャート、
図１２は、この発明の実施の形態９に係る機器の操作認証システムの動作を説明するフローチャート、
図１３は、この発明の実施の形態１０ないし１２に係る機器の操作認証システムを示す機能ブロック図、
図１４は、この発明の実施の形態１０に係る機器の操作認証システムの動作を説明するフローチャート、
図１５は、この発明の実施の形態１１に係る機器の操作認証システムの動作を説明するフローチャート、
図１６は、この発明の実施の形態１２に係る機器の操作認証システムの動作を説明するフローチャート、
図１７は、従来の指紋照合による機器の操作許可認証システムを示す機能ブロック図、
図１８は、従来の指紋照合による機器の操作許可認証システムの動作を説明するフローチャートである。
【図１】
2002023359.tif 000003
【図２】
2002023359.tif 000004
【図３】
2002023359.tif 000005
【図４】
2002023359.tif 000006
【図５】
2002023359.tif 000007
【図６】
2002023359.tif 000008
【図７】
2002023359.tif 000009
【図８】
2002023359.tif 000010
【図９】
2002023359.tif 000011
【図１０】
2002023359.tif 000012
【図１１】
2002023359.tif 000013
【図１２】
2002023359.tif 000014
【図１３】
2002023359.tif 000015
【図１４】
2002023359.tif 000016
【図１５】
2002023359.tif 000017
【図１６】
2002023359.tif 000018
【図１７】
2002023359.tif 000019
【図１８】
2002023359.tif 000020
【国際調査報告】
2002023359.tif 000021
2002023359.tif 000022
2002023359.tif 000023